(57)【特許請求の範囲】
【請求項１】
正極、負極、及びセパレータからなる電極体と、
電池ケースであって、
少なくとも、最も内側に位置する内側樹脂フィルム、この内側樹脂フィルムの外側に隣り合って位置する金属フィルムを有するラミネートフィルムからなり、
折り返した１枚の上記ラミネートフィルムを重ね合わせて、または、２枚の上記ラミネートフィルムを重ね合わせて、重なり合う上記内側樹脂フィルムの周縁部同士を熱溶着し、上記電極体を内部に封止する
電池ケースと、
を備える単電池であって、
検知部を有し、この検知部の温度に応じた信号を出力する温度検知素子を備え、
上記温度検知素子のうち少なくとも上記検知部が、重なり合う上記内側樹脂フィルムの上記周縁部の間に挟まれた状態で、上記電池ケースに保持されてなり、
前記電池ケースのうち前記電極体を収容する収容部と、前記温度検知素子との間には、重なり合う前記内側樹脂フィルムの周縁部同士が熱溶着されてなる熱溶着部の一部が介在し、上記収容部と上記温度検知素子との間が液密に封止されてなる
温度検知素子付単電池。
【請求項２】
複数の単電池を、電気的に接続してなる組電池であって、
上記複数の単電池のうち少なくともいずれかは、請求項１に記載の温度検知素子付単電池である
組電池。
【請求項３】
請求項２に記載の組電池であって、
前記複数の単電池は、いずれも、請求項１に記載の温度検知素子付単電池である
組電池。
【請求項４】
電池システムであって、
請求項２または請求項３に記載の組電池と、
上記組電池に属する１または複数の前記温度検知素子付単電池が備える、１または複数の前記温度検知素子のうち、少なくともいずれかの出力信号に基づいて、当該電池システムの運転を制御する制御手段と、を備える
電池システム。
【請求項５】
少なくとも、最も内側に位置する内側樹脂フィルム、この内側樹脂フィルムの外側に隣り合って位置する金属フィルムを有するラミネートフィルムを１枚、折り返し重ね合わせて、または、２枚の上記ラミネートフィルムを重ね合わせて、正極、負極、及びセパレータからなる電極体を上記ラミネートフィルムで包囲した状態で、重なり合う上記内側樹脂フィルムの周縁部同士を熱溶着して、上記ラミネートフィルムからなる電池ケース内に上記電極体を収容する熱溶着工程を備える
単電池の製造方法であって、
上記熱溶着工程において、
検知部を有し、この検知部の温度に応じた信号を出力する温度検知素子のうち、少なくとも上記検知部を、重なり合う上記内側樹脂フィルムの上記周縁部の間に挟みつつ、上記ラミネートフィルムを重ね合わせて、重なり合う上記内側樹脂フィルムの上記周縁部同士を熱溶着し、前記電池ケースのうち前記電極体を収容する収容部と、前記温度検知素子との間に、重なり合う前記内側樹脂フィルムの周縁部同士を熱溶着してなる熱溶着部を形成して、上記収容部と上記温度検知素子との間を液密に封止する
温度検知素子付単電池の製造方法。
【発明の詳細な説明】
【技術分野】
【０００１】
本発明は、温度検知素子付単電池、この温度検知素子付単電池を備える組電池、この組電池を備える電池システム、及び温度検知素子付単電池の製造方法に関する。
【背景技術】
【０００２】
従来より、ラミネートフィルムからなる電池ケースを備える単電池、この単電池を複数備える組電池、及びその製造方法が、多数提案されている。（例えば、特許文献１，２参照）。
【特許文献１】特開２００５−１１６４５７号公報
【特許文献１】特開２００３−３１７７０１号公報
【０００３】
特許文献１では、組電池とその製造方法について開示されている。具体的には、複数の単電池を保持する樹脂フレームに、各単電池ごとにサーミスタをモールドして、フレームとサーミスタとを一体化している。このフレームに単電池を配置して組電池を構成することにより、各単電池の温度を精度良く検知できると記載されている。
【０００４】
また、特許文献２では、正極集電部または負極集電部から、正極端子及び負極端子とは別に、温度検知用の外部端子（第３の端子）を引き出した単電池が開示されている。この温度検知用外部端子に、温度センサを取り付けることで、単電池の温度を精度良く検知できると記載されている。
【発明の開示】
【発明が解決しようとする課題】
【０００５】
しかしながら、特許文献１では、サーミスタが樹脂モールドされているため、各単電池の温度を、樹脂を介して間接に検知することとなる。このため、各単電池の温度を精度良く検知することができなかった。また、サーミスタをモールドした複数のフレームが必要となるため、コストが高くなっていた。
【０００６】
また、特許文献２では、温度検知用の外部端子の温度を検知しているが、温度検知用の外部端子は放熱性が良好で、外気温の影響を受けやすいため、単電池の温度を精度良く検知することができなかった。また、温度検知用の外部端子（第３の端子）を別途設けるため、部品点数や作業工数の増加によりコスト高となり、その上、温度検知用の外部端子に、別途、温度センサを取り付ける作業も煩わしかった。
【０００７】
本発明は、かかる現状に鑑みてなされたものであって、単電池内の温度を精度良く検知することが可能な温度検知素子付単電池、これを用いた組電池、単電池内の温度を精度良く検知して電池システムの運転を適切に制御することができる電池システム、及び単電池内の温度を精度良く検知することが可能な温度検知素子付単電池の製造方法を提供することを目的とする。
【課題を解決するための手段】
【０００８】
その解決手段は、正極、負極、及びセパレータからなる電極体と、電池ケースであって、少なくとも、最も内側に位置する内側樹脂フィルム、この内側樹脂フィルムの外側に隣り合って位置する金属フィルムを有するラミネートフィルムからなり、折り返した１枚の上記ラミネートフィルムを重ね合わせて、または、２枚の上記ラミネートフィルムを重ね合わせて、重なり合う上記内側樹脂フィルムの周縁部同士を熱溶着し、上記電極体を内部に封止する電池ケースと、を備える単電池であって、検知部を有し、この検知部の温度に応じた信号を出力する温度検知素子を備え、上記温度検知素子のうち少なくとも上記検知部が、重なり合う上記内側樹脂フィルムの上記周縁部の間に挟まれた状態で、上記電池ケースに保持されてなり、前記電池ケースのうち前記電極体を収容する収容部と、前記温度検知素子との間には、重なり合う前記内側樹脂フィルムの周縁部同士が熱溶着されてなる熱溶着部の一部が介在し、上記収容部と上記温度検知素子との間が液密に封止されてなる温度検知素子付単電池である。
【０００９】
本発明の単電池では、温度検知素子のうち少なくとも検知部が、重なり合う内側樹脂フィルムの周縁部の間に挟まれた状態で、電池ケースに保持されている。すなわち、温度検知素子の検知部が、金属フィルムに近接して、電池ケース内に配置されている。電池ケースの金属フィルムは、熱伝導性が良好であるため、周縁部であっても、単電池の内部温度に近似した温度となる。従って、温度検知素子により、単電池内の温度を精度良く検知することが可能となる。
さらに、温度検知素子は、少なくとも検知部が熱溶着された内側樹脂フィルムの周縁部の間に挟まれていることから、電池使用時に振動がかかった場合でも、単電池から脱落する虞がない。
【００１０】
また、本発明の単電池を用いて組電池を構成すれば、既に、単電池に温度検知素子が設けられているため、従来のように、単電池と温度検知素子とを別途用意して組電池を形成する場合に比べて、組電池の組み付け時に別途温度検知素子を取り付ける手間がなく、温度検知素子取り付け用の部材を省くこともできる。すなわち、本発明の単電池を用いれば、組電池の組み付け作業性が良好となり、組電池の部品点数も削減できる。
なお、温度検知素子は、検知部の温度に応じた信号を出力するものであればいずれでも良いが、例えば、サーミスタや熱電対を用いることができる。
【００１２】
さらに、本発明の温度検知素子付単電池では、電池ケースの収容部と温度検知素子との間に熱溶着部を介在させて、両者の間を液密に封止している。これにより、収容部内の電解液が、温度検知素子に接触する虞がなく、電解液の付着による温度検知素子の劣化等を防止することができる。
【００１３】
他の解決手段は、複数の単電池を、電気的に接続してなる組電池であって、上記複数の単電池のうち少なくともいずれかは、請求項１に記載の温度検知素子付単電池である組電池である。
【００１４】
本発明の組電池は、温度検知素子が電池ケースに保持されている温度検知素子付単電池を備えている。このため、単電池と温度検知素子とを別途用意して組み付けた従来の組電池に比べて、組み付け時に別途、温度検知素子を取り付ける手間がなく、温度検知素子取り付け用の部材を省くこともできるので、安価となる。
【００１５】
しかも、温度検知素子付単電池は、温度検知素子のうち少なくとも検知部が、重なり合う内側樹脂フィルムの周縁部の間、すなわち、金属フィルムに近接して、電池ケース内に配置されている。このため、温度検知素子付単電池を含む本発明の組電池では、温度検知素子付単電池の内部温度を精度良く検知することが可能となる。従って、本発明の組電池を用いて電池システムを構成すれば、温度検知素子付単電池の温度に基づいて、組電池全体の温度を適切に制御することも可能となる。
【００１６】
さらに、上記の組電池であって、前記複数の単電池は、いずれも、請求項１に記載の温度検知素子付単電池である組電池とすると良い。
【００１７】
本発明の組電池を構成する単電池は、いずれも、温度検知素子付単電池である。このため、組電池を構成するいずれの単電池についても、内部温度を精度良く検知することが可能となる。従って、本発明の組電池を用いて電池システムを構成すれば、組電池を構成する各々の単電池の温度に基づいて、組電池全体の温度を、きめ細かく制御することが可能となる。
【００１８】
他の解決手段は、電池システムであって、請求項２または請求項３に記載の組電池と、上記組電池に属する１または複数の前記温度検知素子付単電池が備える、１または複数の前記温度検知素子のうち、少なくともいずれかの出力信号に基づいて、当該電池システムの運転を制御する制御手段と、を備える電池システムである。
【００１９】
本発明の電池システムは、温度検知素子のうち少なくとも検知部が、電池ケースのうち重なり合う内側樹脂フィルムの周縁部の間に挟まれた状態で、電池ケースに保持されている温度検知素子付単電池を有する組電池を備えている。このため、制御手段により、組電池を構成する温度検知素子付単電池の内部温度を精度良く検知できると共に、精度良く検知された温度検知素子付単電池の内部温度に基づいて、電池システムの運転を適切に制御することができる。
【００２０】
なお、電池システムの運転制御としては、例えば、温度検知素子付単電池が所定の温度を超えて上昇した場合に、冷却装置を駆動させて、組電池を冷却する運転制御が挙げられる。また、温度検知素子付単電池が過昇温となった場合に、組電池の充放電を停止したり、警告信号を発する等の運転制御を例示することができる。
【００２１】
さらに他の解決手段は、少なくとも、最も内側に位置する内側樹脂フィルム、この内側樹脂フィルムの外側に隣り合って位置する金属フィルムを有するラミネートフィルムを１枚、折り返し重ね合わせて、または、２枚の上記ラミネートフィルムを重ね合わせて、正極、負極、及びセパレータからなる電極体を上記ラミネートフィルムで包囲した状態で、重なり合う上記内側樹脂フィルムの周縁部同士を熱溶着して、上記ラミネートフィルムからなる電池ケース内に上記電極体を収容する熱溶着工程を備える単電池の製造方法であって、上記熱溶着工程において、検知部を有し、この検知部の温度に応じた信号を出力する温度検知素子のうち、少なくとも上記検知部を、重なり合う上記内側樹脂フィルムの上記周縁部の間に挟みつつ、上記ラミネートフィルムを重ね合わせて、重なり合う上記内側樹脂フィルムの上記周縁部同士を熱溶着し、前記電池ケースのうち前記電極体を収容する収容部と、前記温度検知素子との間に、重なり合う前記内側樹脂フィルムの周縁部同士を熱溶着してなる熱溶着部を形成して、上記収容部と上記温度検知素子との間を液密に封止する温度検知素子付単電池の製造方法である。
【００２２】
本発明の製造方法では、熱溶着工程において、温度検知素子のうち少なくとも検知部を、重なり合う内側樹脂フィルムの周縁部の間に挟みつつ、ラミネートフィルムを重ね合わせて、重なり合う内側樹脂フィルムの周縁部同士を熱溶着する。これにより、温度検知素子が電池ケースに保持された電池（温度検知素子付単電池）を、簡易に製造することができる。
【００２３】
しかも、温度検知素子の検知部を、重なり合う内側樹脂フィルムの周縁部の間、すなわち、金属フィルムに近接させて、電池ケース内に配置している。電池ケースの金属フィルムは、熱伝導性が良好であるため、周縁部であっても、単電池の内部温度に近似した温度となる。従って、本発明の製造方法によれば、単電池内の温度を精度良く検知することが可能な温度検知素子付単電池を製造することができる。
さらに、温度検知素子のうち少なくとも検知部を、熱溶着された内側樹脂フィルムの周縁部の間に挟んでいるため、電池使用時に振動がかかった場合でも、温度検知素子が脱落する虞のない温度検知素子付単電池となる。
【００２４】
また、本発明の製造方法により製造した温度検知素子付単電池を用いて組電池を構成すれば、既に、単電池に温度検知素子が設けられているため、従来のように、単電池と温度検知素子とを別途用意して組電池を形成する場合に比べて、組電池の組み付け時に別途温度検知素子を取り付ける手間がなく、温度検知素子取り付け用の部材を省くこともできる。すなわち、本発明の製造方法によれば、組電池の組み付け作業性が良好で、組電池の部品点数も削減できる単電池（温度検知素子付単電池）を製造することができる。
【００２６】
さらに、本発明の製造方法では、電池ケースの収容部と温度検知素子との間に熱溶着部を形成して、両者の間を液密に封止する。これにより、収容部内に注入した電解液が、温度検知素子に付着する虞のない温度検知素子付単電池を製造することができる。従って、本発明の製造方法によれば、電解液の付着による温度検知素子の劣化等が防止された温度検知素子付単電池を得ることができる。
【発明を実施するための最良の形態】
【００２７】
次に、本発明の実施例について、図面を参照しつつ説明する。
図１は、本実施例にかかる温度検知素子付単電池１００の平面図である。本実施例の温度検知素子付単電池１００は、図１に示すように、平面視矩形状の電池ケース１１０と、正極端子１２０と、負極端子１３０と、温度検知素子１６０とを備えている。
【００２８】
さらに、図２に示すように、電池ケース１１０の内部には、電極体１５０と、図示しない電解液とが収容されている。この電極体１５０は、断面長円状をなし、帯状の正極１５５，負極１５６，セパレータ１５７を捲回してなる扁平型の捲回体である。このうち、正極１５５は、図３に示すように、その一端部（正極活物質を含む正極合材が塗工されていない未塗工部、図３において左端部）に位置する正極接続部１５５ｂにおいて、正極端子１２０に溶接されている。また、負極１５６は、その一端部（負極活物質を含む負極合材が塗工されていない未塗工部、図３において右端部）に位置する負極接続部１５６ｂにおいて、負極端子１３０に溶接されている。
【００２９】
電池ケース１１０は、図２に示すように、電池ケース１１０の最も内側に位置する内側樹脂フィルム１１１、この内側樹脂フィルム１１１の外側に隣り合って位置する金属フィルム１１２、及びこの金属フィルム１１２の外側に隣り合って位置する外側樹脂フィルム１１３が積層されたラミネートフィルム１０１で形成されている。この電池ケース１１０は、図３に示すように、収容部１１９内に電極体１５０を配置させたラミネートフィルム１０１が、折り返し位置１１０ｇで折り返され、図１に示すように、略矩形環状の周縁部１１５（第１周縁部１１５ｂ〜第４周縁部１１５ｅ）が熱溶着されて、平面視矩形状に成形されている。詳細には、図２に示すように、周縁部１１５において重なり合う内側樹脂フィルム１１１同士が熱溶着されている。
【００３０】
温度検知素子１６０は、図４に示すように、サーミスタ１６１（検知部）と、これに接続されたリード線１６２とを有している。この温度検知素子１６０は、図２に示すように、少なくともサーミスタ１６１が、第３周縁部１１５ｄにおいて重なり合う内側樹脂フィルム１１１の間に挟まれた状態で、電池ケース１１０に保持されている。すなわち、温度検知素子１６０のサーミスタ１６１が、金属フィルム１１２に近接して、電池ケース１１０内に配置されている。電池ケース１１０の金属フィルム１１２は、熱伝導性が良好であるため、周縁部１１５（第３周縁部１１５ｄ）であっても、単電池の内部温度に近似した温度となる。従って、温度検知素子１６０により、単電池内の温度を精度良く検知することが可能となる。
【００３１】
また、温度検知素子１６０は、図２に示すように、熱溶着された内側樹脂フィルム１１１の間に挟まれて保持されていることから、電池使用時に振動がかかった場合でも、電池ケース１１０から脱落する虞がない。
さらに、図２に示すように、電池ケース１１０の収容部１１９と温度検知素子１６０との間に、内側樹脂フィルム１１１同士を熱溶着させた熱溶着部１１１ｂを介在させることで、両者の間を液密に封止している。これにより、収容部１１９内の電解液が、温度検知素子１６０に接触する虞がなく、電解液の付着による温度検知素子１６０の劣化等を防止することができる。
【００３２】
次に、本実施例の温度検知素子付単電池１００の製造方法について説明する。
まず、２種類の金属シートに、それぞれ異なる活物質を含む電極合材（正極合材と負極合材）を塗布して、帯状の正極１５５及び負極１５６を製造する。次いで、正極１５５、負極１５６、及びセパレータ１５７を積層し、これを捲回して扁平捲回型の電極体１５０を形成する（図２参照）。なお、正極１５５、負極１５６、及びセパレータ１５７を積層する際には、電極体１５０の一端部から、正極１５５のうち正極合材を塗工していない未塗工部が突出するように、正極１５５を配置しておく。さらには、負極１５６のうち負極合材を塗工していない未塗工部が、正極１５５の未塗工部とは反対側から突出するように、負極１５６を配置しておく。これにより、図３に示すように、正極接続部１５５ｂ及び負極接続部１５６ｂを有する電極体１５０が形成される。
【００３３】
次に、電極体１５０の正極接続部１５５ｂと正極端子１２０とを接続する。具体的には、例えば、正極接続部１５５ｂと正極端子１２０とを圧着した状態で溶接（例えば、超音波溶接やスポット溶接）することにより、正極接続部１５５ｂと正極端子１２０とを接続する（図３参照）。同様に、電極体１５０の負極接続部１５６ｂと負極端子１３０とを接続する。具体的には、例えば、負極接続部１５６ｂと負極端子１３０とを圧着した状態で溶接（例えば、超音波溶接やスポット溶接）することにより、負極接続部１５６ｂと負極端子１３０とを接続する。
【００３４】
これとは別に、ラミネートフィルム１０１を用意する。具体的には、内側樹脂フィルム１１１、金属フィルム１１２、及び外側樹脂フィルム１１３を積層した後、これを押圧成形して、収容部１１９を凹設したラミネートフィルム１０１を得る（図３参照）。次いで、図３に示すように、正極端子１２０及び負極端子１３０を溶接した電極体１５０を、ラミネートフィルム１０１の収容部１１９内に配置する。さらに、サーミスタ１６１が、第３周縁部１１５ｄの中央に位置するように、温度検知素子１６０を、第３周縁部１１５ｄのうち、折り返し位置１１０ｇと収容部１１９の下端１１９ｇとの中間の位置に載置する。次いで、ラミネートフィルム１０１を、その折り返し位置１１０ｇで折り返し、温度検知素子１６０を、第３周縁部１１５ｄにおいて重なり合う内側樹脂フィルム１１１の間に挟みつつ、電極体１５０を内部に収容する。
【００３５】
次いで、熱溶着工程に進み、周縁部１１５において重なり合う内側樹脂フィルム１１１同士を熱溶着する。具体的には、まず、図５に示すように、第１周縁部１１５ｂ、第２周縁部１１５ｃ、及び第４周縁部１１５ｅを、加熱された押圧部材１１，１２で挟み、ラミネートフィルム１０１の厚み方向（図５において左右方向）に加圧しつつ加熱して、内側樹脂フィルム１１１同士を熱溶着する。但し、第１周縁部１１５ｂの中央部は熱溶着せず、後に電解液を注入するための注入口として開放しておく。
【００３６】
さらに、図６に示すように、第３周縁部１１５ｄを、加熱された押圧部材１３，１４で挟み、ラミネートフィルム１０１の厚み方向（図６において左右方向）に加圧しつつ加熱して、内側樹脂フィルム１１１同士を熱溶着する。ところで、押圧部材１３，１４には、その厚み方向（図６において上下方向）中央部に、その幅方向（図６において紙面に直交する方向）にわたり、断面円弧状の溝部１３ｂ，１４ｂが形成されている。本実施例では、この溝部１３ｂ，１４ｂの位置と温度検知素子１６０の位置とを一致させて、押圧部材１３，１４により第３周縁部１１５ｄを挟んで加圧しているため、温度検知素子１６０を破損させることなく、適切に、第３周縁部１１５ｄにおいて内側樹脂フィルム１１１同士を熱溶着させることができる。
【００３７】
しかも、上述のように内側樹脂フィルム１１１同士を熱溶着することで、図６に示すように、電池ケース１１０の収容部１１９と温度検知素子１６０との間に、内側樹脂フィルム１１１同士を熱溶着させた熱溶着部１１１ｂを形成することができる。これにより、電池ケース１１０の収容部１１９と温度検知素子１６０との間を、液密に封止することができる。このため、後に収容部１１９内に注入する電解液が、温度検知素子１６０に接触する虞がなく、電解液の付着による温度検知素子１６０の劣化等を防止することができる。
【００３８】
以上のようにして、電極体１５０を内部に収容する電池ケース１１０を形成すると共に、温度検知素子１６０のうち少なくともサーミスタ１６１を、第３周縁部１１５ｄにおいて重なり合う内側樹脂フィルム１１１の間に挟んだ状態で、温度検知素子１６０を電池ケース１１０に保持することができる。次いで、第１周縁部１１５ｂに設けた注液口を通じて、電池ケース１１０内に電解液を注入した後、注液口を熱溶着する。その後、所定の処理を施すことで、図１に示す温度検知素子付単電池１００が完成する。
【００３９】
次に、本実施例の組電池２００及び電池システム３００について、図７を参照して説明する。
本実施例の組電池２００は、図７に示すように、複数（例えば８ヶ）の温度検知素子付単電池１００が一列に積層されてなる組電池である。組電池２００を構成するそれぞれの温度検知素子付単電池１００は、互いに電気的に直列に接続されている。
【００４０】
本実施例の電池システム３００は、上述の組電池２００と、この組電池２００の充放電回路部３１０と、冷却装置３１０と、この冷却装置３１０の駆動回路部３２０と、電池システム３００の運転を制御する制御装置３５０（制御手段）と、警告ランプ３６０とを備えている。
【００４１】
このうち、制御装置３５０は、温度検出回路部３４０、及び図示しないＲＯＭ，ＲＡＭ，ＣＰＵ等を有している。温度検出回路部３４０には、組電池２００を構成する温度検知素子付単電池１００の温度検知素子１６０が、そのリード線１６２を通じて接続されている。これにより、温度検出回路部３４０において、温度検知素子１６０からの出力信号に基づいて、温度検知素子付単電池１００の温度を検知することができる。
【００４２】
ところで、前述のように、温度検知素子付単電池１００では、温度検知素子１６０のサーミスタ１６１が、電池ケース１１０の周縁部１１５において、重なり合う内側樹脂フィルム１１１の間に挟まれた状態で、電池ケース１１０に保持されている。このようにな位置にサーミスタ１６１を配置することで、サーミスタ１６１の温度は、単電池の内部温度に近似した温度となる。従って、温度検知素子１６０からの出力信号に基づいて、温度検知素子付単電池１００の温度を検知することで、温度検知素子付単電池１００の内部温度を精度良く検知することができる。
【００４３】
さらに、制御装置３５０により、温度検出回路部３４０によって検知した検知温度（組電池２００を構成する温度検知素子付単電池１００の内部温度）に基づいて、電池システム３００の運転を制御することができる。
具体的には、例えば、温度検出回路部３４０において検知した検知温度のいずれかが、第１所定温度Ｔ１より高くなった場合（すなわち、組電池２００を構成する温度検知素子付単電池１００のいずれかの温度が、第１所定温度Ｔ１を超えて上昇した場合）には、制御装置３５０から駆動回路部３２０に対し、冷却装置３２０を駆動する指令を出す。これにより、冷却装置３２０が駆動し、組電池２００を適切に冷却することができる。
【００４４】
また、温度検出回路部３４０において検知した検知温度のいずれかが、第２所定温度Ｔ２（Ｔ２＞Ｔ１）を超えて過昇温となった場合（すなわち、組電池２００を構成する温度検知素子付単電池１００のいずれかの温度が、第２所定温度Ｔ２を超えて上昇した場合）には、制御装置３５０から充放電回路部３１０に対し、組電池２００の充放電を停止する指令を出す。これにより、組電池２００の充放電が停止し、組電池２００を構成する温度検知素子付単電池１００の過昇温を抑制することができる。さらに、このとき、組電池２００の過昇温を知らせるために、警告ランプ３６０を点灯させるようにしても良い。
【００４５】
しかも、本実施例では、精度良く検知された温度検知素子付単電池１００の内部温度に基づいて、上述の冷却装置３２０の運転制御や、組電池２００の充放電制御を行うことができるので、組電池２００を構成する温度検知素子付単電池１００の温度を、適切な範囲内に保つことができる。特に、組電池２００を構成する単電池は、いずれも、温度検知素子付単電池１００であるため、組電池２００構成するいずれの単電池についても、内部温度を精度良く検知することができる。従って、組電池２００構成する各々の単電池に対応した検知温度に基づいて、組電池２００を構成する単電池の温度を、きめ細かく制御することが可能となる。
【００４６】
以上において、本発明を実施例に即して説明したが、本発明は上記実施例に限定されるものではなく、その要旨を逸脱しない範囲で、適宜変更して適用できることはいうまでもない。
例えば、実施例では、温度検知素子として、サーミスタ１６１を有する温度検知素子１６０を用いたが、熱電対を用いるようにしても良い。
【００４７】
また、実施例の温度検知素子付単電池１００では、電極体として、帯状の正極１５５、負極１５６、及びセパレータ１５７を捲回してなる捲回型の電極体１５０を用いた。しかしながら、電極体の構造は、捲回型に限らず、板状の正極、負極、及びセパレータを積層した積層型など、いずれの構造であっても良い。
【００４８】
また、実施例では、組電池２００を構成する単電池を、いずれも温度検知素子付単電池１００としたが、温度検知素子付単電池１００と、温度検知素子を有しない単電池とによって組電池を構成するようにしても良い。この場合、少なくとも、組電池において最も温度が上昇し易い位置には、温度検知素子付単電池１００を配置するのが好ましい。その温度検知素子付単電池１００に対応した検知温度に基づいて、電池システムの運転を制御することで、組電池の過昇温を適切に抑制することができるからである。
【図面の簡単な説明】
【００４９】
【図１】実施例にかかる温度検知素子付単電池１００の平面図である。
【図２】図１のＡ−Ａ矢視断面図である。
【図３】実施例にかかるラミネートフィルム１０１を重ね合わせる前の様子を示す平面図である。
【図４】温度検知素子１６０の平面図である。
【図５】熱溶着工程を説明する説明図である。
【図６】熱溶着工程を説明する説明図である。
【図７】実施例にかかる組電池２００及び電池システム３００の説明図である。
【符号の説明】
【００５０】
１００  温度検知素子付単電池
１０１  ラミネートフィルム
１１０  電池ケース
１１１  内側樹脂フィルム
１１１ｂ  熱溶着部
１１２  金属フィルム
１１５  周縁部
１１９  収容部
１５０  電極体
１６０  温度検知素子
１６１  サーミスタ（検知部）
２００  組電池
３００  電池システム
３５０  制御装置（制御手段）
【図１】
0004810990.tif 000002
【図２】
0004810990.tif 000003
【図３】
0004810990.tif 000004
【図４】
0004810990.tif 000005
【図５】
0004810990.tif 000006
【図６】
0004810990.tif 000007
【図７】
0004810990.tif 000008